(57)【特許請求の範囲】
【請求項１】
水平面内で直交する２方向に延びるリブを縦横に組み合わせて、支柱部配置用開口部を備えた水平構造部と、上下方向に延びていて基端部を上記水平構造部の支柱部配置用開口部内に配置できる大きさとし且つ水平断面の外形を、各屈曲個所の頂点と各頂点間を平板部とする多角形とした支柱部と、上記水平構造部の支柱部配置用開口部内にて周縁の上記リブと上記支柱部の基端部周壁に形成される各屈曲個所の頂点位置との間に配置する複数の接続部材とを備え、上記水平構造部の支柱部配置用開口部内に上記支柱部の基端部を配置して、該支柱部の基端部周壁に形成されるすべての屈曲個所の頂点位置と上記支柱部配置用開口部の周縁のリブとをそれぞれ接続部材を介して一体に接続してなる構成を有することを特徴とする貯水空間形成ブロック。
【請求項２】
支柱部を、水平断面の外形が多角形の角錐台形状とし、該支柱部の大径となる基端部の周壁に周方向に形成されるすべての屈曲個所の頂点位置に、各接続部材の内側端部を接続するようにした請求項１記載の貯水空間形成ブロック。
【請求項３】
支柱部の水平断面の外形の多角形を、八角形とし、該支柱部の基端部の周壁に形成される８つの頂点位置のうち、周方向に１つ置きの４つの頂点位置を、平面形状を正方形とした水平構造部の支柱部配置用開口部の対角線上に位置するような姿勢に、上記支柱部の基端部を上記水平構造部の支柱部配置用開口部内に配置するようにした請求項１又は２記載の貯水空間形成ブロック。
【発明の詳細な説明】
【技術分野】
【０００１】
本発明は、地中に構築する雨水貯水槽の内部貯水空間を形成するために、水平方向に縦横に隣接配置すると共に垂直方向に積層配置して用いるようにする貯水空間形成ブロックに関するものである。
【背景技術】
【０００２】
従来より、地下に貯水槽（雨水貯留浸透施設）を設けて、降雨時に雨水を一時的に貯留できるようにし、この貯留した雨水を徐々に下水に流したり、周囲の地中に徐々に浸透させるようにすることにより、洪水の発生を抑制することが行われている。
【０００３】
又、上記地下貯水槽に貯留した雨水を、防火用水や、花壇や畑の散水等に利用することも考えられている。
【０００４】
そのために、近年では、図３に示すように、地面１を掘り下げて平面形状矩形（正方形を含む）の凹部２を形成し、該凹部２内にて、骨格となる樹脂製の貯水空間形成用のブロック３を、水平方向に縦横に配列すると共に上下方向に多段に積層して直方体（立方体を含む）形状に組み立てて、その内部に貯水空間を形成し、その後、外周部に壁４を設けると共に上面に天板５を取り付け、更に、その周囲を、雨水の貯留や浸透の目的に応じて遮水シートや透水シートや保護シートを適宜選択あるいは組み合わせて用いるシート材６で覆った後、上側から土を埋め戻すことにより、地下貯水槽Ｉを構築するようにしてある。２ａは上記凹部２の底部に設けた平坦な基礎である。
【０００５】
この種の地下貯水槽Ｉを構築するために用いられる上記樹脂製の貯水空間形成ブロック（ユニット部材）３は、たとえば、図４（ａ）（ｂ）に示すように、平面形状が正方形で上下方向に所要寸法立ち上がる枠状の縁部８と、その内側で、該縁部８の正方形の各辺と平行な２方向に沿って配置された互いに交差する縦横のリブ９ａ及び９ｂと、該各リブ９ａと９ｂによって囲まれた区画に形成された透口１０を備えた水平なプレート状の基盤部７に、該基盤部７の上面側に突き出して上端部（天壁）が塞がり且つ基盤部７の下面側で開口する截頭円錐状の中空の突出部（支柱部）１１を、１つ又は所要の間隔をあけて複数設けた構成として、ブロック全体を樹脂により一体成型してある。なお、図４（ａ）（ｂ）では突出部１１を一つとした場合が示してある（たとえば、特許文献１参照）。
【０００６】
上記構成としてある貯水空間形成ブロック３を用いて図３に示したような地下貯水槽Ｉを構築する場合、上記貯水空間形成ブロック３を水平方向に縦横に配列して組み立てるときには、隣接する貯水空間形成ブロック３同士で、上記平面形状を正方形としてある基盤部７の外周端面を互いに突合せ、この状態で基盤部７同士の突合せ部分を、図示しない連結手段（固定手段）により連結するようにしてある。これにより、構築された地下貯水槽Ｉ（図３参照）では、或る高さ位置の水平面内に、上記各貯水空間形成ブロック３の基盤部７が連続して配置されるようにして、該地下貯水槽Ｉに対して周囲に存在する土より作用する土圧による水平方向の荷重を、上記各貯水空間形成ブロック３の各基盤部７に作用する圧縮荷重、より具体的には、該各基盤部７の各リブ９ａ及び９ｂに対して長手方向に沿って作用する圧縮荷重として受けて支持することができるようにしてある。
【０００７】
又、上記図３に示した如き地下貯水槽Ｉを構築するために、上記貯水空間形成ブロック３を上下方向に多段に積層して配置するときには、最も下段の貯水空間形成ブロック３を、突出部１１が上向きとなる通常姿勢に配置すると共に、その上側に、上下を反転させた姿勢の別の貯水空間形成ブロック３を配置して、上下方向に対向配置される両者の突出部１１同士を突き合わせた状態で、突合せ部分を図示しない連結手段（固定手段）を用いてで連結するようにしてある。更に、その真上に、上記と同様に通常姿勢と上下反転姿勢で突出部１１同士を付き合わせた状態で連結することにより上下に組み合わせた貯水空間形成ブロック３の組を、地下貯水槽Ｉに所望される高さ寸法に応じた段数で順次重ねて配置するようにしてある。これにより、図３に示すように、構築された地下貯水槽Ｉでは、上記水平面内で縦横に配列された各貯水空間形成ブロック３の突出部１１の位置毎に、上下方向に積層配置されている各貯水空間形成ブロック３の突出部１１が上下に連続して配置されるようにして、該地下貯水槽Ｉに対して天板５（図３参照）の上方より作用する埋め戻した部分に存在する土、及び、地下貯水槽Ｉの真上の地面に配置される物体の鉛直方向の荷重を、上記上下方向に連続配置された上記各貯水空間形成ブロック３の突出部１１の圧縮荷重として受けて支持することができるようにしてある。
【０００８】
又、従来の別の例として、地面を掘削して形成した凹所内に、貯水空間形成ブロックとしての支持構造体を配設して貯水槽を構成するようにし、凹所の周囲には不透水シートを敷設して、該凹所内は貯水能力が付与されている。又、支持構造体の最上部には土盛が施されたものがある。
【０００９】
上記従来の貯水槽を構成する支持構造体は、図５（ａ）に示す如く、板状部材１２と支柱体１３との組み合わせからなるものとしてある。中空の筒状構造をなす樹脂製の支柱体１３は、截頭円錐体、あるいは、通常の三角柱、四角柱、六角柱等の截頭多角錐体としてあり、大径となる端部は、板状部材１２への係止部１３ａとしてある。
【００１０】
上記板状部材１２は、樹脂製で、上記支柱体１３を固定すべき位置に開口部１４を有すると共に、該開口部の周縁に沿って、図５（ｂ）に示す如く、上記支柱体１３の端部の係止部１３ａに係止させて固定させるための複数の係止片１５ａ，１５ｂを立設させた構成としてある。上記支柱体１３を板状部材１２に係止する係止片１５ａ，１５ｂは、支柱体１３の形状に適合する位置に設けるようにしてある（たとえば、特許文献２参照）。
【先行技術文献】
【特許文献】
【００１１】
【特許文献１】特許第４０８４４３７号公報
【特許文献２】特開２００４−２８５７５４号公報
【発明の概要】
【発明が解決しようとする課題】
【００１２】
ところが、上記図４(ａ）（ｂ）に示す特許文献１に記載されている従来の貯水空間ブロック３の場合は、突出部１１が截頭円錐体形状としてあるものであり、しかも、該截頭円錐体形状の突出部１１の平坦な外表面に、基盤部７に設けてある縦横のリブ９ａ，９ｂを繋ぎ、一体成形で突出部１１を上記基盤部７に一体化させるものであり、円錐形状の突出部１１は座屈に対する強度が弱く、且つリブ９ａ，９ｂが結合されている突出部１１の結合部は、平らな面で、この部分の強度が弱いという問題がある。そのため、基盤部７から突出部１１へ伝えられる水平力に対して、上記突出部１１における上記リブ９ａ，９ｂ結合部が強度的に耐えられないという問題がある。
【００１３】
又、特許文献２に記載されている支持構造体は、板状部材１２と支柱体１３を別体に形成し、板状部材１２に支柱体１３を係止片１５ａ，１５ｂで係止させて固定するものである。そのため、支柱体１３は、截頭多角錐体としてあるが、支柱体１３を板状部材１２に係止して固定する複数の係止片１５ａ，１５ｂは、支柱体１３の大径となる端部の係止部１３ａに係止させるものであり、支柱体１３の多角形状の各角部の頂点と板状部材１２との間のみを係止させて、支柱体１３を板状部材１２に固定するものではない。
【００１４】
したがって、多角形状としてある支柱体１３の平らな外表面となる個所の係止部１３ａでは係止片１５ａ，１５ｂにより係止される支柱体１３の強度が低下するという問題がある。
【００１５】
そこで、本発明は、地下貯水槽を構築するための貯水空間を形成するブロックとして、土圧による水平力を支持するための水平構造部と、上下方向の荷重を支持するための支柱部とを結合して一体成形するときの支柱部への結合部の強度低下を防止すると共に、該支柱部自体の剛性を高めるようにした貯水空間形成ブロックを提供しようとするものである。
【課題を解決するための手段】
【００１６】
本発明は、上記課題を解決するために、請求項１に対応して、水平面内で直交する２方向に延びるリブを縦横に組み合わせて、支柱部配置用開口部を備えた水平構造部と、上下方向に延びていて基端部を上記水平構造部の支柱部配置用開口部内に配置できる大きさとし且つ水平断面の外形を、各屈曲個所の頂点と各頂点間を平板部とする多角形とした支柱部と、上記水平構造部の支柱部配置用開口部内にて周縁の上記リブと上記支柱部の基端部周壁に形成される各屈曲個所の頂点位置との間に配置する複数の接続部材とを備え、上記水平構造部の支柱部配置用開口部内に上記支柱部の基端部を配置して、該支柱部の基端部周壁に形成されるすべての屈曲個所の頂点位置と上記支柱部配置用開口部の周縁のリブとをそれぞれ接続部材を介して一体に接続してなる構成とする。
【００１７】
又、上記構成において、支柱部を、水平断面の外形が多角形の角錐台形状とし、該支柱部の大径となる基端部の周壁に周方向に形成されるすべての屈曲個所の頂点位置に、各接続部材の内側端部を接続するようにした構成とする。
【００１８】
更に、上記構成において、支柱部の水平断面の外形の多角形を、八角形とし、該支柱部の基端部の周壁に形成される８つの頂点位置のうち、周方向に１つ置きの４つの頂点位置を、平面形状を正方形とした水平構造部の支柱部配置用開口部の対角線上に位置するような姿勢に、上記支柱部の基端部を上記水平構造部の支柱部配置用開口部内に配置するようにした構成とする。
【発明の効果】
【００１９】
本発明の貯水空間形成ブロックによれば、以下のような優れた効果を発揮する。
（１）水平面内で直交する２方向に延びるリブを縦横に組み合わせて、支柱部配置用開口部を備えた水平構造部と、上下方向に延びていて基端部を上記水平構造部の支柱部配置用開口部内に配置できる大きさとし且つ水平断面の外形を、各屈曲個所の頂点と各頂点間を平板部とする多角形とした支柱部と、上記水平構造部の支柱部配置用開口部内にて周縁の上記リブと上記支柱部の基端部周壁に形成される各屈曲個所の頂点位置との間に配置する複数の接続部材とを備え、上記水平構造部の支柱部配置用開口部内に上記支柱部の基端部を配置して、該支柱部の基端部周壁に形成されるすべての屈曲個所の頂点位置と上記支柱部配置用開口部の周縁のリブとをそれぞれ接続部材を介して一体に接続してなる構成としてあり、更に、支柱部を、水平断面の外形が多角形の角錐台形状とし、該支柱部の大径となる基端部の周壁に周方向に形成されるすべての屈曲個所の頂点位置に、各接続部材の内側端部を接続するようにした構成としてあるので、水平構造部から支柱部に作用する水平方向の荷重を、支柱部の多角形としてある周壁のすべての屈曲個所の頂点位置で受けさせることができて、支柱部の剛性を高めることができる。すなわち、支柱部の各屈曲個所の頂点部分は、各頂点間の平板部に比して水平方向の荷重に対する強度は高くなっているので、地震発生時に水平構造部から支柱部に水平方向の荷重が作用しても支柱部は強度が高い部分で受けることから、損傷のおそれが少なく、長寿令化が図れると共に、耐震性を向上させることができる。
（２）上記（１）の構成により、鉛直方向からの荷重が地下貯水槽に作用して、貯水空間形成ブロックの支柱部に上記荷重が作用しても、支柱部は、水平断面の外形が多角形としてあるため、座屈に対する強度が高く、上記荷重にも十分に耐え得られるものとすることができる。
（３）又、上記構成において、支柱部の水平断面の外形の多角形を、八角形とし、該支柱部の基端部の周壁に形成される８つの頂点位置のうち、周方向に１つ置きの４つの頂点位置を、平面形状を正方形とした水平構造部の支柱部配置用開口部の対角線上に位置するような姿勢に、上記支柱部の基端部を上記水平構造部の支柱部配置用開口部内に配置するようにした構成とすることにより、支柱部の周方向に形成される８つの屈曲個所の頂点位置のうち、周方向に１つ置きの４つの頂点位置を、正方形状とした水平構造部の支柱部配置用開口部の対角位置に合わせた姿勢で、支柱部を上記水平部材の支柱部配置用開口部内に配置して、対角線に配置した接続部材で上記４つの頂点部分と支柱部配置用開口部のコーナ部との間で接続することができ、支柱部周壁の残り４つの頂点部分と支柱部配置用開口部の各辺の中間位置とを、別の接続部材で接続することにより、地震発生時に水平構造部から支柱部に作用する水平方向の荷重を、強度が高い頂点位置で堅固に受けることができ、一方、上記別の接続部材を取り外して、上記対角線位置となる４個所の接続部材だけで接続した構成とすることにより、上記水平方向の荷重を支柱部に作用させる度合いを少なくすることができる。
【図面の簡単な説明】
【００２０】
【図１】本発明の貯水空間形成ブロックの実施の一形態を示す概略斜視図である。
【図２】図１の貯水空間形成ブロックにおける１つの支柱部とその周辺を拡大して示すもので、（ａ）は平面図、（ｂ）は（ａ）のＡ−Ａ方向矢視図である。
【図３】従来の地下貯水槽の概要を示す切断側面図である。
【図４】従来の貯水空間形成ブロックの一例を示すもので、（ａ）は概略平面図、（ｂ）は(ａ)の概略側面図である。
【図５】従来の貯水空間形成ブロックの他の例を示すもので、（ａ）は板状部材に支柱体を係止して固定する状態を示す側面図、（ｂ）係止片の図である。
【発明を実施するための形態】
【００２１】
以下、本発明を実施するための形態を図面を参照して説明する。
【００２２】
図１及び図２(ａ)（ｂ）は本発明の貯水空間形成ブロックの実施の一形態を示すものである。
【００２３】
本発明の貯水空間形成ブロック１６は、水平面内で互いに直交する２方向に延びるリブ１８ａと１８ｂを縦横に組み合わせて、支柱部配置用開口部としての格子目１９を有する格子構造としてある水平構造部１７と、多角形としての八角形で、軸心方向に延びて先端部となる上端部を裁った截頭多角錐形状としてある中空構造の支柱部２０とを備え、上記水平構造部１７の上記格子目１９の内側に、上記支柱部２０の大径となる基端部（下端部）を配置して、該支柱部２０の多角形の各頂点と上記格子目１９の周縁を形成しているリブ１８ａ，１８ｂとの間に、接続部材２１と２１ａを放射方向に配置して一体成形して一体化し、支柱部２０の多角形の各頂点と水平構造部１７の格子目１９のリブ１８ａ，１８ｂとを接続部材２１，２１ａを介して固定した構成とする。
【００２４】
詳述すると、上記水平構造部１７は、平面形状を正方形として、図１に示すように、その正方形の各辺に沿う外周部位置に、上下方向に或る高さ寸法を有し且つ或る厚み寸法を有する２本ずつのリブ１８ａと１８ｂを、或る間隔で平行に配置すると共に、上記正方形の２組の対辺の中間部同士を結ぶ位置に、或る間隔で平行に配置した３本ずつのリブ１８ａと１８ｂを備え、該各リブ１８ａと１８ｂを同一平面内で縦横に組み合わせて一体にした構成としてある。この構成により、上記正方形の各コーナの内側となる４個所に、リブ１８ａと１８ｂによって囲まれた正方形の格子目１９が、上記支柱部２０の大径となる下端部の外径よりも大きいサイズとして形成されている。更に、上記各格子目１９の各辺の中間位置の外側面にも、縦方向と横方向の短いリブ１８ａと１８ｂを直角方向に一体に組み合わせて設けるようにしてある。２２は水平構造部１７の格子目１９以外の区画に設けてある、水を通過させるための透口である。
【００２５】
又、上記支柱部２０は、筒状としてあり、その水平断面の外形を、一例として、多角形状としての八角形状とするようにしてある。これにより、周壁の周方向等間隔個所に屈曲個所（折り目）を設けることで、円筒に比して座屈に対する強度を高めることができるようにしてある。更には、該支柱部２０を、水平面内で周方向を八分した各方位より作用する外力に対して均等な剛性を有するものとすることができることから、上記支柱部２０を、該支柱部２０を中心として上記水平構造部の各リブ１８ａ，１８ｂが延びる方向となる四方はもとより、周方向のいかなる方位より作用する外力に対しても、ほぼ均等な剛性を有するものとすることができるようにしてある。
【００２６】
更に、上記筒状としてある支柱部２０は、下端部（基端部）より上端部（先端部）に向けて徐々に平面形状が小さくなる角錐台形状とすると共に、基端側の開口２３が、該支柱部２０の先端部の外径寸法よりも大きくなるようにして、１つの貯水空間形成ブロック１６の各支柱部２０の内側に、その基端側の開口２３を通して、別の貯水空間形成ブロック１６の各支柱部２０における水平構造部１７の上端より上方へ突出する部分を収容することができるようにしてある。これにより、本発明の貯水空間形成ブロック１６は、各支柱部２０の突出する向きを同じ方向に揃えた状態で複数個スタックすることができるようにしてある。よって、使用前の貯水空間形成ブロック１６をスタックしておくようにすることで、その保管や運搬に要するスペースを小さくすることができるようにしてある。
【００２７】
上記各支柱部２０の先端部は、天板２４で閉塞させるようにしてある。更に、該各支柱部２０の天板２４には、図１及び図２（ａ）に示すように、上記水平構造部１７の平面形状である正方形の中央を中心とする同心円上で、且つ該正方形の対角線を中心軸とする対称位置に、上向きに突出する係合用突部２５と、該係合用突部２５を挿入するための係合穴２６がそれぞれ設けてある。これにより、支柱部２０を上向きとした通常姿勢の貯水空間形成ブロック１６の上側に、上下を反転させた姿勢の別の貯水空間形成ブロック１６を配置して、上下方向に対向配置される双方の支柱部２０の先端同士を突き合わせるときに、一方の係合用突部２５を他方の係合穴２６に挿入させると共に、他方の係合用突部２５を一方の係合穴２６に挿入させることができるようにしてあり、よって、上記上下に突き合せた支柱部２０の先端部同士を、水平方向への相対変位を拘束した状態で繋ぐことができるようにしてある。
【００２８】
上記支柱部２０は、基端部の外壁面における八角形の外形の８つの頂点のうち、１つ置きとなる４つの頂点が、上記水平構造部１７に設けた正方形の格子目１９の対角線上に位置するようにした姿勢で該格子目１９の中央に配置するようにして、その他の４つの頂点が、上記格子目１９の各辺のリブ１８ａ，１８ｂの各中間位置の外側面に設けてある短いリブ１８ｂと１８ａに対応する位置に配置されるようにする。この状態で正方形の上記格子目１９の対角線上に位置する上記４つの頂点と上記格子目１９の対角線に沿う４個所のリブ１８ａ，１８ｂとの間に、幅寸法の広い接続部材２１を個別に配置すると共に、残りの４つの頂点と上記格子目１９の各辺の中間位置で且つ外側面に直角方向に設けられている短いリブ１８ａ，１８ｂの位置との間に、幅寸法の小さい接続部材２１ａを個別に配置する。
【００２９】
次に、上記各接続部材２１の外側端部は、上記格子目１９の各コーナ部を形成しているリブ１８ａ及び１８ｂにそれぞれ一体に接続すると共に、該各接続部材２１の内側端部は、上記支柱部２０の基端部の４つの頂点にそれぞれ一体に接続する。同様に、上記各接続部材２１ａの外側端部は、上記格子目１９の各辺のリブ１８ａの中間位置と、リブ１８ｂの中間位置に、それぞれ一体に接続すると共に、該接続部材２１ａの内側端部は、上記支柱部２０の基端部の残りの４つの頂点にそれぞれ一体に接続し、各接続部材２１，２１ａが支柱部２０の軸心から放射方向に配設されているようにする。これにより、上記支柱部２０における上記接続部材２１，２１ａとの取り合い部分を、該支柱部２０の基端部の外壁面における八角形の外形の各頂点、すなわち、周壁の屈曲個所（折り目）とすることができるため、該支柱部２０の接続部材２１，２１ａとの取り合い部分の剛性を高めることができ、水平構造部１７から接続部材２１，２１ａを介して支柱部２０に水平力が作用したときも、支柱部２０への接続部材２１，２１ａの接続部の強度が高く、損傷するおそれを未然に防止することが可能となる。
【００３０】
なお、上記本発明の貯水空間形成ブロック１６は、上記水平構造部１７、各支柱部２０、及び各接続部材２１，２１ａを、樹脂により一体成形してなるものとしてある。
【００３１】
本発明の貯水空間形成ブロック１６は、上記のような構成としてあるので、本発明の貯水空間形成ブロック１６により図３に示したような地下貯水槽を構築した状態において、地震発生時に、その周囲に存在する土砂より作用する土圧により水平構造部１７が水平方向の荷重を受けると、この水平方向の荷重は、接続部材２１，２１ａを介して支柱部２０に伝えられることになる。
【００３２】
本発明の貯水空間形成ブロックは、上記各接続部材２１，２１ａの内側端部が八角形の支柱部２０の８つの頂点に取り付けられて接続されるようにしてあるので、支柱部２０への接続部材２１，２１ａの取り合い部分の剛性を高くすることができ、上記水平構造部１７が受けた水平方向の荷重を支柱部２０で堅固に受けることができることになる。
【００３３】
又、図３に示したような地下貯水槽に対して天板５の上方より作用する垂直方向の荷重、すなわち、地下貯水槽の構築後に埋め戻した部分に存在する土や、地下貯水槽の真上の地面に配置された物体の鉛直方向の荷重を受ける支柱部２０は、截頭八角錐形状として、周壁の周方向に８つの頂点、すなわち、屈曲部が均等に形成されていることから、上記鉛直方向の荷重を受けたときの座屈に対する強度を円筒に比して高めることができる。
【００３４】
これにより、支柱部２０自体の剛性を高めることができる。
【００３５】
図１及び図２（ａ）（ｂ）に示す本発明の貯水空間形成ブロックは、水平構造部１７に形成された格子目１９の内側に、多角形として八角形とした支柱部２０の大径とした基端部を配置し、該支柱部２０の８つの頂点に接続部材２１，２１ａの内側端部をそれぞれ一体的に接続した場合について説明したが、たとえば、格子目１９の対角線上の４個所にのみ接続部材２１を配置して、該各接続部材２１の外側端部を、格子目１９の各コーナ部のリブ１８ａ及び１８ｂにそれぞれ接続すると共に、上記各接続部材２１の内側端部を支柱部２０の周壁の８つの頂点のうち、１つ置きの頂点にそれぞれ接続した構成とすることができる。
【００３６】
このような構成とした場合は、図２（ａ）において、４個所の接続部材２１ａがなく、格子目１９の各辺のリブ１８ａ，１８ｂの中間位置から、該リブ１８ａ，１８ｂの中間位置に対向する支柱部２０の４つの頂点に、水平方向の荷重が伝わることがなくなる。これにより、水平構造部１７から支柱部２０に作用する水平方向の荷重を軽減することが可能となり、水平方向の荷重を支柱部２０に伝え難くすることができる。
【００３７】
なお、本発明は、上記実施の形態にのみ限定されるものではなく、たとえば、図２（ａ）に示す接続部材２１，２１ａは、リブ１８ａ，１８ｂと同じ厚みとした場合を示しているが、これは例示であり、これに限定されるものではない。又、支柱部２０は、截頭多角錐体として、截頭八角錐体を例示したが、格子目１９内のコーナ部に周壁の頂点が対向するものであれば、水平断面の外形が八角形以外のものでもよいこと、支柱部２０は、角錐台形状とすることが望ましいが、基端部から先端部までの断面寸法が同一となる形状のものとしてもよい。
【００３８】
その他本発明の要旨を逸脱しない範囲内で種々変更を加え得ることは勿論である。
【符号の説明】
【００３９】
１６  貯水空間形成ブロック
１７  水平構造部
１８ａ，１８ｂ  リブ
１９  格子目（支柱部配置用開口部）
２０  支柱部
２１，２１ａ  接続部材
【図１】
0005783916.tif 000002
【図２】
0005783916.tif 000003
【図３】
0005783916.tif 000004
【図４】
0005783916.tif 000005
【図５】
0005783916.tif 000006